(57)【要約】【課題】清掃材を取付けて清掃用具が形成される際の組立て作業性を高めることができるとともに、清掃材の取付部分の強度を高めることができる清掃用柄体、及びこれを備える清掃用具を提供する。【解決手段】その軸線が清掃用柄体の長手方向となる孔１２及び該孔１２の内面から外部へ貫通する第２の孔を長手方向の一端部に有する柄本体１と、孔１２の軸線方向に長い嵌入孔２２，２２及び該嵌入孔２２，２２に連なる抜止部２３を有し、孔１２に挿嵌される嵌合体２とを備え、軸部３２ｂ，３２ｂを有する清掃材の前記軸部３２ｂ，３２ｂが嵌合体２の嵌入孔２２，２２に嵌入され、嵌合体２が柄本体１の孔１２に挿嵌されることにより清掃材３を取付けることができるようにした。【選択図】図３
2012110532.tif 000002
【特許請求の範囲】
【請求項１】
清掃材が長手方向の一端部に取付けられる清掃用柄体において、その軸線が前記長手方向となる孔及び該孔の内面から外部へ貫通する第２の孔を前記一端部に有する柄本体と、前記孔の軸線方向に長く、前記清掃材の一部が嵌入されるべき嵌入孔及び該嵌入孔に連なり、前記清掃材の一部に係合して該一部の抜出しを止める抜止部を有し、前記孔に挿嵌される嵌合体とを備えることを特徴とする清掃用柄体。
【請求項２】
前記嵌合体は、その長手方向の中途が窪み、該窪みの内側に前記抜止部を配してある柱形をなし、前記窪みと長手方向の一端との間に前記嵌入孔が開設されている請求項１記載の清掃用柄体。
【請求項３】
前記嵌合体は、前記窪みと長手方向の他端との間に前記嵌入孔が開設されている請求項２記載の清掃用柄体。
【請求項４】
前記窪み及び抜止部は、前記長手方向と交差する方向の２位置に配してあり、該窪み夫々と長手方向の一端との間又は両端との間に前記嵌入孔が開設されている請求項２又は３記載の清掃用柄体。
【請求項５】
請求項１から４のいずれか一つに記載の清掃用柄体と、前記嵌入孔に嵌入され、且つ前記抜止部に係合する軸部を有する清掃材とを備えることを特徴とする清掃用具。
【請求項６】
前記清掃材は、毛体群と、該毛体群を保持する環部及び該環部から外向きに延出され、前記嵌入孔に嵌入される軸部を有する保持体とを備える請求項５記載の清掃用具。 
【発明の詳細な説明】
【技術分野】
【０００１】
本発明は長手方向の一端部に清掃材が取付けられる清掃用柄体、及びこれを備える清掃用具に関する。
【背景技術】
【０００２】
浴場などの床、浴槽内等を清掃するための清掃用具は、柄体の先端部に、該柄体の長手方向に対して傾斜する板状の取付部が設けられ、該取付部の下面に、清掃材が保持されている保持体が取付けられている（例えば、特許文献１参照）。
【先行技術文献】
【特許文献】
【０００３】
【特許文献１】特開２００３−２１０３８１号公報
【発明の概要】
【発明が解決しようとする課題】
【０００４】
ところが、特許文献１のような清掃用具は、柄体の先端部に設けられている板状の取付部の下面に清掃材が設けられるため、浴場等の床を清掃する際、角部の床面及び壁面を同時に清掃することができず、清掃効率が悪いという問題があった。
【０００５】
本発明の出願人は、柄体の先端部に二つの嵌入孔を開設し、環部及び該環部から外向きに延出されている二つの取付部を有する保持体の環部に毛体群を保持し、前記取付部を加熱した状態で前記嵌入孔に嵌入することにより、嵌入孔の内周部を溶融化させ、保持体を柄体の先端部に取付けるようにした清掃用具を先に開発した。
【０００６】
しかし、この清掃用具にあっては、清掃材が柄体の先端部に取付けられるとき、毛体群を保持する保持体の取付部を加熱する必要があるため、組立て作業性に難点があり、また、保持体の取付部を加熱した状態で嵌入孔に嵌入し、該嵌入孔の内周部を溶融化させる必要があるため、溶融化のバラツキによる取付強度の不足が生じ易く、改善策が要望されていた。
【０００７】
本発明は斯かる事情に鑑みてなされたものであり、主たる目的はその軸線が清掃用柄体の長手方向となる孔及び該孔の内面から外部へ貫通する第２の孔を一端部に有する柄本体の前記孔に、該孔の軸線方向に長い嵌入孔及び該嵌入孔に連なる抜止部を有する嵌合体を挿嵌する構成とすることにより、清掃材を取付けて清掃用具が形成される際の組立て作業性を高めることができるとともに、清掃材の取付部分の強度を高めることができる清掃用柄体を提供することにある。
【０００８】
また、他の目的はその長手方向の中途が窪み、該窪みの内側に抜止部を配してある柱形をなす嵌合体とし、前記窪みと長手方向の一端との間に嵌入孔を開設してある構成とすることにより、嵌合体の孔への挿嵌作業を簡易にでき、組立て作業性をより一層高めることができる清掃用柄体を提供することにある。
【０００９】
また、他の目的は嵌合体の窪みと長手方向の他端との間に嵌入孔が開設されている構成とすることにより、清掃材の嵌入部分の長さを比較的長くすることができるとともに、清掃材の取付部分の強度をより一層高めることができる清掃用柄体を提供することにある。
【００１０】
また、他の目的は窪み及び抜止部を、長手方向と交差する方向の２位置に配し、該窪み夫々と長手方向の一端との間又は両端との間に嵌入孔を開設することにより、清掃材の取付部分の強度をより一層高めることができる清掃用柄体を提供することにある。
【００１１】
また、他の目的は嵌合体の嵌入孔に嵌入され、嵌合体の抜止部に係合して前記嵌入孔から抜出るのを阻止される軸部を有する清掃材を備えることにより、組立て作業性を高めることができるとともに、清掃材の取付部分の強度を高めることができる清掃用具を提供することにある。
【００１２】
また、他の目的は毛体群と、該毛体群を保持する環部及び該環部から外向きに延出されている軸部を有する保持体とを清掃材が備えることにより、清掃材を形成する作業の作業性を高めることができるとともに、清掃材の取付部分の剛性を高めることができる清掃用具を提供することにある。
【課題を解決するための手段】
【００１３】
本発明に係る清掃用柄体は、清掃材が長手方向の一端部に取付けられる清掃用柄体において、その軸線が前記長手方向となる孔及び該孔の内面から外部へ貫通する第２の孔を前記一端部に有する柄本体と、前記孔の軸線方向に長く、前記清掃材の一部が嵌入されるべき嵌入孔及び該嵌入孔に連なり、前記清掃材の一部に係合して該一部の抜出しを止める抜止部を有し、前記孔に挿嵌される嵌合体とを備えることを特徴とする。
【００１４】
この発明にあっては、清掃材の一部が嵌合体の嵌入孔に嵌入され、嵌合体が柄本体の孔に挿嵌されることにより清掃材を取付けることができるため、清掃材を取付けて清掃用具が形成される際の組立て作業性を高めることができ、清掃用具のコストを低減できる。しかも、嵌合体の嵌入孔に嵌入された清掃材の一部は抜止部にて抜止めすることができるため、清掃材の取付部の強度を高めることができる。
【００１５】
また、本発明に係る清掃用柄体は、前記嵌合体は、その長手方向の中途が窪み、該窪みの内側に前記抜止部を配してある柱形をなし、前記窪みと長手方向の一端との間に前記嵌入孔が開設されていることを特徴とする。
この発明にあっては、柱形をなす嵌合体の長手方向の他端部側を案内部にすることができるため、嵌合体の孔への挿嵌作業を簡易にでき、組立て作業性をより一層高めることができる。
【００１６】
また、本発明に係る清掃用柄体は、前記嵌合体は、前記窪みと長手方向の他端との間に前記嵌入孔が開設されていることを特徴とする。
この発明にあっては、柱形をなす嵌合体の長手方向両端間に嵌入孔が開設され、嵌入孔の長手方向中途に抜止部が形成されているため、嵌入孔に嵌入された清掃材の一部の窪みに位置する部分を変形させることにより、清掃材の抜止めができ、嵌入孔への嵌入部分の長さを比較的長くすることができることと相俟って清掃材の取付部分の強度をより一層高めることができる。
【００１７】
また、本発明に係る清掃用柄体は、前記窪み及び抜止部は、前記長手方向と交差する方向の２位置に配してあり、該窪み夫々と長手方向の一端との間又は両端との間に前記嵌入孔が開設されていることを特徴とする。
この発明にあっては、柱形をなす嵌合体に二つの窪み及び該窪み夫々に連なる二つの嵌入孔が設けられており、二つの嵌入部分を有する清掃材の前記嵌入部分夫々を、二つの嵌入孔に嵌入し、抜止めすることができるため、清掃材の取付部分の強度をより一層高めることができる。
【００１８】
また、本発明に係る清掃用具は、前述した発明の清掃用柄体と、前記嵌入孔に嵌入され、且つ前記抜止部に係合する軸部を有する清掃材とを備えることを特徴とする。
この発明にあっては、軸部を有する清掃材の前記軸部が嵌合体の嵌入孔に嵌入され、嵌合体が柄本体の孔に挿嵌されることにより清掃材を取付けることができるため、組立て作業性を高めることができ、清掃用具のコストを低減できる。しかも、嵌合体の嵌入孔に嵌入された軸部は抜止部にて抜止めすることができ、清掃材の取付部分の強度を高めることができる。
【００１９】
また、本発明に係る清掃用具は、前記清掃材は、毛体群と、該毛体群を保持する環部及び該環部から外向きに延出され、前記嵌入孔に嵌入される軸部を有する保持体とを備えることを特徴とする。
この発明にあっては、環部に毛体群を保持することにより比較的大容積の清掃材を得ることができるため、清掃材を形成する作業の作業性を高めることができ、清掃用具のコストを低減できる。また、環部と一体に軸部を設け得るため、清掃材の取付部分の剛性を高めることができる。
【発明の効果】
【００２０】
本発明によれば、清掃材の一部が嵌合体の嵌入孔に嵌入され、嵌合体が柄本体の孔に挿嵌されることにより清掃材を取付けることができるため、清掃材を取付けて清掃用具が形成される際の組立て作業性を高めることができ、清掃用具のコストを低減できる。しかも、嵌合体の嵌入孔に嵌入された清掃材の一部は抜止部にて抜止めすることができるため、清掃材の取付部分の強度を高めることができる。
【００２１】
また、本発明によれば、柱形をなす嵌合体の長手方向の他端部側を案内部にすることができるため、嵌合体の孔への挿嵌作業を簡易にでき、組立て作業性をより一層高めることができる。
【００２２】
また、本発明によれば、柱形をなす嵌合体の長手方向両端間に嵌入孔が開設され、嵌入孔の長手方向中途に抜止部が形成されているため、嵌入孔に嵌入された嵌入部分の窪みに位置する部分を変形させることにより、清掃材の抜止めができ、嵌入部分の長さを比較的長くすることができことと相俟って清掃材の取付部分の強度をより一層高めることができる。
【００２３】
また、本発明によれば、柱形をなす嵌合体に二つの窪み及び該窪み夫々に連なる二つの嵌入孔が設けられており、二つの嵌入部分を有する清掃材の前記嵌入部分夫々を、二つの嵌入孔に嵌入し、抜止めすることができるため、清掃材の取付部分の強度をより一層高めることができる。
【００２４】
また、本発明によれば、清掃材の一部が嵌合体の嵌入孔に嵌入され、嵌合体が柄本体の孔に挿嵌されることにより清掃材を取付けることができるため、組立て作業性を高めることができ、清掃用具のコストを低減できる。しかも、嵌合体の嵌入孔に嵌入された清掃材の嵌入部分は抜止部にて抜止めすることができ、清掃材の取付部分の強度を高めることができる。
【００２５】
また、本発明によれば、環部に毛体群を保持することにより比較的大容積の清掃材を得ることができるため、清掃材を形成する作業の作業性を高めることができ、清掃用具のコストを低減できる。また、環部と一体に軸部を設け得るため、清掃材の取付部分の剛性を高めることができる。
【図面の簡単な説明】
【００２６】
【図１】本発明に係る清掃用具の構成を示す縦断側面図である。
【図２】本発明に係る清掃用具の構成を示す平面図である。
【図３】図１のIII −III 線断面図である。
【図４】本発明に係る清掃用具の構成を示す底面図である。
【図５】図１のV -V 線断面図である。
【図６】本発明に係る清掃用柄体の構成を示す分解斜視図である。
【図７】本発明に係る清掃用柄体の嵌合体の構成を示す側面図である。
【図８】本発明に係る清掃用柄体の嵌合体の構成を示す平面図である。
【図９】本発明に係る清掃用柄体の嵌合体の構成を示す底面図である。
【図１０】本発明に係る清掃用柄体の嵌合体の構成を示す背面図である。
【図１１】本発明に係る清掃用柄体の嵌合体に清掃材が取付けられた状態を示す断面図である。
【図１２】本発明に係る清掃用具の保持体の構成を示す平面図である。
【図１３】本発明に係る清掃用具の保持体の構成を示す側面図である。
【図１４】本発明に係る清掃用具の保持体が毛体群を保持する過程を示す説明図である。
【図１５】本発明に係る清掃用具の構成を示す斜視図である。
【図１６】本発明に係る清掃用具の構成を示す側面図である。
【図１７】本発明に係る清掃用具の他の構成を示す要部の斜視図である。
【図１８】本発明に係る清掃用具の他の構成を示す要部の横断平面図である。
【発明を実施するための形態】
【００２７】
以下本発明をその実施の形態を示す図面に基づいて詳述する。図１は清掃用具の構成を示す縦断側面図、図２は清掃用具の構成を示す平面図、図３は図１のIII −III 線断面図、図４は清掃用具の構成を示す底面図、図５は図１のV -V 線断面図、図６は清掃用柄体の構成を示す分解斜視図である。
【００２８】
本発明に係る清掃用具は、棒状の柄本体１と、該柄本体１の長手方向一端部に嵌合される嵌合体２と、該嵌合体２に取付けられる清掃材３とを備える。柄本体１の長手方向の他端部には補助柄体が接離可能に継合される。
【００２９】
柄本体１の長手方向一端部には、周方向の一部から長手方向と交差する方向へ延出され、他端側からの平面視で略楕円形をなす板状部１１が一体成形されている。柄本体１には一端面から窪む孔１２、及び該孔１２の奥部から外部へ貫通する第２の孔１３とが設けられ、第２の孔１３の内縁が係止部１４になっている。孔１２は軸線と直交する方向の断面形状が略四角形をなしている。
【００３０】
図７は嵌合体２の構成を示す側面図、図８は嵌合体２の構成を示す平面図、図９は嵌合体２の構成を示す底面図、図１０は嵌合体２の構成を示す背面図、図１１は嵌合体２に清掃材３が取付けられた状態を示す断面図である。嵌合体２は、断面略四角形の柱形をなす合成樹脂製であり、隣合う二つの角部で、長手方向の中途に窪み２１，２１が設けられている。
【００３１】
二つの窪み２１，２１及び長手方向の両端間には両端に亘って貫通する嵌入孔２２，２２が並べて開設され、嵌入孔２２，２２の窪み２１，２１内への開口縁が抜止部２３になっている。また、長手方向の他端部で、非窪み側の角部間には、可撓性を有し、係止部１４に係止される舌片状の被係止部２４が設けられており、長手方向の一端部で、非窪み側の角部間には、柄本体１の一端に当接するストッパ用の凸部２５が設けられている。被係止部２４は、長手方向の他端に開口する第１溝２４ａ及び第１溝２４ａから周方向へ離隔した２位置に開口する二つの第２溝２４ｂにより可撓に形成され、先端が嵌合体２の周面よりも外部へ突出している。
【００３２】
清掃材３は、毛体群３１及び該毛体群３１を保持する保持体３２を有し、毛体群３１が略楕円球形に形成されている。
【００３３】
図１２は保持体３２の構成を示す平面図、図１３は保持体３２の構成を示す側面図、図１４は保持体３２が毛体群３１を保持する過程を示す説明図である。保持体３２は、略Ｃ字形をなす環部３２ａ及び該環部３２ａの両端から外方へ平行的に延出され、二つの嵌入孔２２，２２に嵌入される二つの軸部３２ｂ，３２ｂを有し、２本の金属線を撚合わせてなる撚線３ａにより形成されている。環部３２ａは板状部１１に対応して平面視略楕円形をなし、板状部１１の周縁部下面に環部３２ａが対向し、環部３２ａが上方へ変形するのを板状部１１が抑止するように構成されている。軸部３２ｂ，３２ｂは、離隔して並置されている嵌入孔２２，２２に対応して離隔対向している。
【００３４】
毛体群３１は、比較的短い寸法の複数の毛体３１ａを束ねてなり、撚線３ａを構成する２本の金属線が図１４に示すように撚合わされるとき、複数の毛体３１ａの長手方向中央部が順次金属線間に挾持され、毛体３１ａが撚線３ａの撚り方向に偏倚しつつ撚線３ａの周りに螺旋状に配され、毛体３１ａの両端側が撚線３ａの外側に配され、全体が棒状になる。そして、撚線３ａが略楕円形に湾曲されことにより、毛体群３１が環部３２ａの全周面に配され、毛体群３１が略楕円球形となる。
【００３５】
図１５は清掃用具の構成を示す斜視図、図１６は清掃用具の構成を示す側面図である。以上のように構成された清掃用具は、撚線３ａにて形成される環部３２ａに毛体群３１を保持してなる保持体３２の二つの軸部３２ｂ，３２ｂが、嵌合体２の二つの嵌入孔２２，２２に嵌入され、軸部３２ｂ，３２ｂの中途が窪み２１，２１に露出する。この軸部３２ｂ，３２ｂの窪み２１，２１への露出部が、軸部３２ｂ，３２ｂの長手方向と交差する方向へ押圧され、軸部３２ｂ，３２ｂの中途が変形し、窪み２１，２１内の抜止部２３，２３に係合する係合部３２ｃが形成され、軸部３２ｂ，３２ｂが抜止めされ、清掃材３が嵌合体２に取付けられる。
【００３６】
清掃材３が取付けられた嵌合体２は、長手方向他端側から柄本体１の孔１２に挿嵌される。この際、被係止部２４が孔１２の内面に当接して撓み、被係止部２４の撓み状態で孔１２に挿嵌され、挿嵌終端位置で凸部２５が柄本体１の一端に当接するとともに、被係止部２４が弾性復元し、該被係止部２４が係止部１４に係止され、嵌合体２が抜止めされ、清掃材３が柄本体１に取付けられる。
【００３７】
以上のように清掃材３は、毛体群３１を保持する保持体３２の軸部３２ｂ，３２ｂが嵌合体２の嵌入孔２２，２２に嵌入される嵌入作業と、嵌入孔２２，２２に嵌入された軸部３２ｂ，３２ｂの中途を変形させる変形作業と、嵌合体２が柄本体１の孔１２に挿嵌される嵌合作業との簡易な作業により清掃材３を柄本体１に取付けることができ、清掃材３の取付作業性を高めることができる。
【００３８】
嵌合体２は二つの嵌入孔２２，２２を有し、該嵌入孔２２，２２の夫々に嵌入される二つの軸部３２ｂ，３２ｂが清掃材３に設けてあるため、清掃材３の取付強度を高めることができ、また、清掃材３の軸部３２ｂ，３２ｂが取付けられた嵌合体２が柄本体１の孔１２に挿嵌保持されるため、清掃材３の取付強度を高めることができる。
【００３９】
清掃用具にて例えば浴場を清掃する場合、毛体群３１の下面側が床に接触し、毛体群３１の周縁側が角部の壁に接触した状態で擦ることができるため、角部の床、壁の清掃を効率的に行うことができる。
【００４０】
また、嵌合体２にて柄本体１の一端部に取付けられた清掃材３は、保持体３２の環部３２ａが板状部１１の周縁部下面に当接し、環部３２ａが上方へ変形するのを板状部１１が抑止しているため、撚線２ａにて毛体群３１を保持してなる簡易構造の保持体３２が、清掃時に毛体群３１に加わる力で変形するのを防ぐことができる。
【００４１】
図１７は清掃用具の他の構成を示す要部の斜視図、図１８は清掃用具の他の構成を示す要部の横断平面図である。この清掃用具は、軸部３２ｂ，３２ｂの中途を変形させて係合部３２ｃ，３２ｃを形成し、窪み２１，２１及び両端に亘って貫通する嵌入孔２２，２２を設ける代わりに、軸部３２ｂ，３２ｂの先端に、該軸部３２ｂ，３２ｂの長手方向と交差する方向へ屈曲する係合部３２ｄ，３２ｄを設け、周面から窪む溝にて嵌入孔２２，２２を設けたものである。
【００４２】
軸部３２ｂ，３２ｂは嵌入孔２２，２２の全長よりも長く形成されている。柱形をなす嵌合体２は、両端に亘って嵌入孔２２，２２が設けられ、嵌入孔２２，２２の長手方向一端縁部が抜止部２６になっている。嵌入孔２２，２２は軸部３２ｂ，３２ｂの太さよりも若干小さく形成され、軸部３２ｂ，３２ｂが嵌合体２の周面側から嵌入されるとき、該軸部３２ｂ，３２ｂに僅かの嵌入抵抗を加え、軸部３２ｂ，３２ｂを嵌入孔２２，２２内で保持するようになしてある。
【００４３】
この構成にあっては、軸部３２ｂ，３２ｂの中途を変形させることなく、軸部３２ｂ，３２ｂを嵌入孔２２，２２に嵌入することにより清掃材３を嵌合体２に取付けることができ、軸部３２ｂ，３２ｂ先端の係合部３２ｄ，３２ｄが抜止部２６に係合し、嵌入孔２２，２２の長手方向へ軸部３２ｂ，３２ｂが抜出るのを阻止することができる。
【００４４】
尚、以上説明した実施の形態では、清掃材３が略楕円球形をなす毛体群３１を有する構成としたが、その他、清掃材３の形状は特に制限されない。また、清掃材３は毛体群３１が保持体３２に保持されている構成である他、スポンジ、不織布等の清掃部材が保持体３２に保持されている構成であってもよく、清掃材３の構成は特に制限されない。
【００４５】
また、以上説明した実施の形態では、撚線３ａにて形成された保持体３２が毛体群３１を保持する構成としたが、その他、保持体３２は環部３２及び軸部３２ｂ，３２ｂが合成樹脂材にて一体に成形された構成であってもよく、保持体３２の構成は特に制限されない。また、軸部３２ｂは離隔して対向する二つである他、一つとし、一つの嵌入孔２２及び該嵌入孔２２に連なる抜止部を嵌合体２が有する構成としてもよい。
【００４６】
また、本発明に係る清掃用柄体は、長手方向の他端部に補助柄体が継合される他、補助柄体が継合されないでもよい。
【符号の説明】
【００４７】
１    柄本体
１２  孔
２    嵌合体
２１  窪み
２２  嵌入孔
２３，２６  抜止部
２４  被係止部
３    清掃材
３１  毛体群
３２  保持体
３２ａ  環部
３２ｂ  軸部 
【図１】
2012110532.tif 000003
【図２】
2012110532.tif 000004
【図３】
2012110532.tif 000005
【図４】
2012110532.tif 000006
【図５】
2012110532.tif 000007
【図６】
2012110532.tif 000008
【図７】
2012110532.tif 000009
【図８】
2012110532.tif 000010
【図９】
2012110532.tif 000011
【図１０】
2012110532.tif 000012
【図１１】
2012110532.tif 000013
【図１２】
2012110532.tif 000014
【図１３】
2012110532.tif 000015
【図１４】
2012110532.tif 000016
【図１５】
2012110532.tif 000017
【図１６】
2012110532.tif 000018
【図１７】
2012110532.tif 000019
【図１８】
2012110532.tif 000020